(57)【要約】      （修正有）【課題】高い使用率で利用され得る打撃板を備えた破砕機を提供する。【解決手段】打撃板４０の両長手側面には、打撃板４０の軸心側の端部４０ａ近傍に位置する第１の打撃板側突起４３と、第１の打撃板側突起４３よりも外周側に位置する第２の打撃板側突起４４と、が設けられている。第１の打撃板側突起４３は、各プロテクタ３１，３２の軸心側突起３４よりも軸心側の場所、および、各プロテクタ３１，３２の第１のプロテクタ側突起３３と軸心側突起３４との間の場所のいずれにも配置され得るよう構成されている。また第２の打撃板側突起４４は、第１の打撃板側突起４３が各プロテクタ３１，３２の軸心側突起３４よりも軸心側の場所に配置されるとき、各プロテクタ３１，３２の第１のプロテクタ側突起３３と軸心側突起３４との間の場所に配置され得るよう構成されている。【選択図】図５Ａ
2015073964.tif 000002
【特許請求の範囲】
【請求項１】
対象物を破砕する破砕機であって、
主軸と、
前記主軸に固定され、前記主軸を回転軸として回転するロータディスクであって、その外周に複数の溝が形成されている、ロータディスクと、
前記ロータディスクの前記溝に取り付けられ、互いに対向する一対のプロテクタと、
前記対象物に衝突する打撃板であって、その両長手側面が前記一対のプロテクタによって挟持される、打撃板と、を備え、
各プロテクタは、前記主軸の軸方向に沿って延びる第１のプロテクタ側突起と、前記第１のプロテクタ側突起よりも軸心側に設けられ、前記主軸の軸方向に沿って延びる軸心側突起と、を有し、
前記打撃板の両長手側面には、前記打撃板の軸心側の端部近傍に位置し、前記主軸の軸方向に沿って延びる第１の打撃板側突起と、前記第１の打撃板側突起よりも外周側に位置し、前記主軸の軸方向に沿って延びる第２の打撃板側突起と、が設けられており、
前記打撃板の前記第１の打撃板側突起は、前記プロテクタの前記軸心側突起よりも軸心側の場所、および、前記プロテクタの前記第１のプロテクタ側突起と前記軸心側突起との間の場所のいずれにも配置され得るよう構成されており、
前記打撃板の前記第２の打撃板側突起は、前記第１の打撃板側突起が前記プロテクタの前記軸心側突起よりも軸心側の場所に配置されるとき、前記プロテクタの前記第１のプロテクタ側突起と前記軸心側突起との間の場所に配置されるよう構成されている、破砕機。
【請求項２】
前記打撃板の両長手側面には、前記第２の打撃板側突起よりも外周側に位置し、前記主軸の軸方向に沿って延びる１つまたは２つ以上の打撃板側突起がさらに設けられている、請求項１に記載の破砕機。
【請求項３】
各打撃板側突起は、前記ロータディスクの半径方向において一定の配列ピッチで設けられている、請求項２に記載の破砕機。
【請求項４】
前記ロータディスクの半径方向における各打撃板側突起の寸法は、軸心側の打撃板側突起ほど小さくなっている、請求項２または３に記載の破砕機。
【請求項５】
対象物を破砕する破砕機であって、
主軸と、
前記主軸に固定され、前記主軸を回転軸として回転するロータディスクであって、その外周に複数の溝が形成されている、ロータディスクと、
前記ロータディスクの前記溝に取り付けられ、互いに対向する一対のプロテクタと、
前記対象物に衝突する打撃板であって、その両長手側面が前記一対のプロテクタによって挟持される、打撃板と、を備え、
各プロテクタは、前記主軸の軸方向に沿って延びる第１のプロテクタ側突起と、前記第１のプロテクタ側突起よりも外周側に設けられ、前記主軸の軸方向に沿って延びる第２のプロテクタ側突起と、前記第１のプロテクタ側突起よりも軸心側に設けられ、前記主軸の軸方向に沿って延びる軸心側突起と、を有し、
前記打撃板の両長手側面には、前記打撃板の軸心側の端部近傍に位置し、前記主軸の軸方向に沿って延びる第１の打撃板側突起が設けられており、
前記打撃板の前記第１の打撃板側突起は、前記プロテクタの前記第１のプロテクタ側突起と前記軸心側突起との間の場所、および、前記プロテクタの前記第２のプロテクタ側突起と前記第１のプロテクタ側突起との間の場所のいずれにも配置され得るよう構成されている、破砕機。
【請求項６】
各プロテクタには、前記第２のプロテクタ側突起よりも外周側に位置し、前記主軸の軸方向に沿って延びる１つまたは２つ以上のプロテクタ側突起がさらに設けられている、請求項５に記載の破砕機。
【請求項７】
各プロテクタ側突起は、前記ロータディスクの半径方向において一定の配列ピッチで設けられている、請求項６に記載の破砕機。
【請求項８】
前記打撃板の軸心側の端部に錘が取り付けられている、請求項１乃至７のいずれか一項に記載の破砕機。
【請求項９】
前記打撃板には、前記打撃板の軸心側の端部に至る中空部が形成されており、
前記中空部には、前記打撃板を構成する材料よりも高い密度を有する材料からなる錘が埋め込まれている、請求項１乃至７のいずれか一項に記載の破砕機。
【請求項１０】
前記主軸の軸方向に沿って延びる外周側突起であって、前記プロテクタの前記プロテクタ側突起のうち最も外周側に位置するプロテクタ側突起よりも外周側に配置される外周側突起が、前記打撃板の両長手側面にさらに設けられている、請求項１乃至９のいずれか一項に記載の破砕機。
【請求項１１】
前記ロータディスクの周囲には、打撃板によって衝撃力を与えられた後の対象物を衝突させるための衝突板が配置されており、
前記衝突板は、ロータディスクの半径方向に沿って移動可能であるよう構成されている、請求項１乃至１０のいずれか一項に記載の破砕機。
【請求項１２】
前記主軸には、前記主軸の軸方向に沿って複数の前記ロータディスクが固定されており、
各ロータディスクの前記溝には、前記一対のプロテクタが取り付けられており、
前記主軸の軸方向における前記打撃板の各打撃板側突起の長さは、１つのロータディスクに取り付けられている前記プロテクタの各プロテクタ側突起と、前記１つのロータディスクに隣り合う他のロータディスクに取り付けられている前記プロテクタの各プロテクタ側突起との間の、前記主軸の軸方向における隙間よりも小さくなっており、このため、前記打撃板を前記主軸の軸方向において前記打撃板の前記打撃板側突起の長さに対応する距離にわたって移動させることにより、前記ロータディスクの半径方向における前記打撃板と前記プロテクタとの間の係合を解除することができる、打撃板側突起主軸請求項１乃至１１のいずれか一項に記載の破砕機。
【発明の詳細な説明】
【技術分野】
【０００１】
本発明は、岩石などの対象物を破砕する破砕機に関する。
【背景技術】
【０００２】
従来、岩石などの対象物を破砕するための破砕機として、衝撃力を利用して石炭を破砕する破砕機が知られている。例えば特許文献１において、ケーシング内に配置された水平な主軸と、主軸に固定されたロータディスクの外周に一対のプロテクタを介して等間隔で取り付けられた複数の打撃板と、を備える破砕機が開示されている。このような破砕機においては、ロータディスクを回転させることにより、ロータディスクに取り付けられた打撃板が、ケーシング内の破砕空間に投入された対象物に衝突する。この衝突に起因する衝撃力によって対象物を破砕することができる。
【０００３】
このような破砕機においては、打撃板が破砕作用をもたらすことに伴い、打撃板の先端部が摩耗していく。打撃板の先端部が摩耗すると、打撃板のうち破砕空間に突き出ている部分の長さが小さくなり、また打撃板の先端部における回転半径も小さくなる。従って、打撃板の摩耗に伴って、破砕機における破砕効率が低下してしまう。このため、所定の時間が経過する度に、打撃板のうち破砕空間に突き出ている部分の長さ（以下、「突き出し長さ」とも称する）を回復させる必要がある。回復させる方法の１つとしては、打撃板を新しいものに交換することが挙げられる。また上述の特許文献１においては、打撃板を上下反転させることにより、摩耗した先端部を軸心側、すなわちロータディスク側に位置づけ、摩耗していない先端部を外周側、すなわち破砕空間側に位置づけ、これによって打撃板の突き出し長さを回復させることが開示されている。打撃板を上下反転させることにより、打撃板の両端部を使用することができるので、打撃板の使用率を高くすることができる。
【０００４】
また特許文献２には、打撃板を外周側に繰り出すことによって打撃板の突き出し長さを回復させることが開示されている。具体的には、特許文献２において、打撃板には突起が形成されており、またロータディスクには、打撃板の突起を挟み込む一対の保持ブロックが設けられている。そして、一対の保持ブロックのうち外周側の保持ブロックは、軸心側の保持ブロックよりも大きい厚みを有している。このため、一対の保持ブロックの配置を入れ替えると、２つの保持ブロックの厚みの差の分だけ、打撃板が外周側に繰り出されることになる。なお特許文献２には、打撃板を上下反転させることについても開示されている。
【０００５】
また特許文献３にも、打撃板を外周側に繰り出すことによって打撃板の突き出し長さを回復させることが開示されている。具体的には、特許文献３に記載の破砕機は、ロータディスクの半径方向に沿って延びる案内溝が形成されたプロテクタ（アーム）と、アームの案内溝に挿入されるともに、案内溝に直交する方向へ案内溝から突出する突出部を有する取付体と、取付体の突出部に外周側から嵌合される凹部が形成された打撃板と、を備えている。また案内溝の側面には、ロータディスクの半径方向に所定の配列ピッチで並ぶ複数の取付穴が形成されている。そして、取付体に形成されている取付穴とアームの案内溝の取付穴とを位置合わせし、各取付穴にピンを差し込むことによって、打撃板と一体になった取付体がアームに対して固定されている。このような破砕機においては、ピンが差し込まれる案内溝の取付穴の位置を外周側へ一段階ずらすことにより、案内溝の取付穴の配列ピッチの分だけ打撃板を外周側に繰り出すことができる。
【先行技術文献】
【特許文献】
【０００６】
【特許文献１】特開２００２−２７３２４６号公報
【特許文献２】特開２００１−１９０９７２号公報
【特許文献３】実公昭５３−１７０１７号公報
【発明の概要】
【発明が解決しようとする課題】
【０００７】
上述のように破砕機において、打撃板は消耗品である。従って、破砕コストを低減するためには、打撃板を可能な限り利用し尽くすことが好ましい。すなわち、新品の打撃板の重量に対する、交換時の打撃板の重量の比が、可能な限り小さいことが好ましい。
【０００８】
ところで、特許文献１に開示されているように一定時間使用した後の打撃板を上下反転させる場合、図７（ａ）に示すように、打撃板の形状が上下対称なものになっている。また上述のように、破砕機における所望の破砕効率を常に確保するためには、打撃板における最低限必要な突き出し長さ（以下、「限界突き出し長さ」とも称する）を常に維持する必要がある。このため、打撃板を上下反転させる方式が採用される場合、打撃板の突き出し長さが限界突き出し長さＬになるまで打撃板が摩耗された時（図７（ｂ）参照）に、図７（ｃ）に示すように、打撃板が上下反転される。そして反転後は、それまで破砕空間に突き出ていた、限界突き出し長さの部分が、一対のプロテクタによって挟持される。その後、反転後の打撃板の突き出し長さが限界突き出し長さＬになるまで打撃板が摩耗されると（図７（ｄ）参照）、打撃板が交換される。この場合、打撃板の一側の先端部および他側の先端部のいずれにも限界突き出し長さＬに対応する部分が残った状態で、打撃板が交換される。すなわち、打撃板のうち多くの部分が、利用されること無く廃棄されてしまう。このため、打撃板を上下反転させる方式によっては、新品の打撃板の重量に対する交換時の打撃板の重量の比を十分に小さくすることができない。
【０００９】
また一般に、打撃板の重量は大きく、このため打撃板を一対のプロテクタから取り外す際には、吊り上げ手段を用いて打撃板を一対のプロテクタから吊り上げることになる。ここで、打撃板を上下反転させる方式が採用される場合、吊り上げ手段を用いて打撃板を吊り上げるだけでなく、打撃板の上下を反転させる作業を実施する必要がある。しかしながら、打撃板を上下反転させる作業は、打撃板を単に吊り上げる作業に比べて煩雑なものであり、従って、作業に長時間を要することになる。
【００１０】
特許文献２に記載の破砕機においては、上述のように、打撃板を外周側に繰り出すことができるようになっている。しかしながらこの場合、打撃板の繰り出し量は、２つの保持ブロックの厚みの差の分だけである。このため特許文献２においては、繰り出しによっては打撃板の突き出し長さを十分に回復させることができない。
【００１１】
また特許文献２において、打撃板を外周側に繰り出すためには、一対の保持ブロックをロータディスクに対して固定するためのピンなどを取り外し、そして一対の保持ブロックを外部に取り出して上下反転させ、再び一対の保持ブロックをロータディスクに対して固定する必要がある。このように特許文献２においては、打撃板を繰り出すための作業が煩雑であり、従って、作業に長時間を要することになる。
【００１２】
特許文献３に記載の破砕機においては、上述のように、案内溝の取付穴の配列ピッチの分だけ打撃板を外周側に繰り出すことができる。このため、案内溝の取付穴の配列ピッチを適切に設定することにより、打撃板の突き出し長さが十分に回復されることを期待することができる。しかしながら、特許文献３においては、打撃板をロータディスクに固定するための構成要素として、アーム、取付体およびピンなど、多数の部材が用いられている。このため、破砕機の構成が複雑であり、従って破砕機のコストが高くなっている。
【００１３】
また特許文献３においては、打撃板を外周側に繰り出すためには、打撃板と一体になった取付体を支持しながらアームの取付穴からピンを取り外し、次に打撃板および取付体を外周側に移動させ、その後、一段階ずれた案内溝の取付穴にピンを差し込んで打撃板および取付体をアームに固定する必要がある。このように特許文献３においては、打撃板を繰り出すための作業が煩雑であり、従って、作業に長時間を要することになる。
【００１４】
また特許文献３において、打撃板は、打撃板に形成された穴にピンを差し込むことによって、取付体に対して固定されている。この場合、外周側の部分であって、アームの案内溝から突き出ている部分が、破砕のために使用され得る部分になっている。一方、打撃板のうち穴よりも軸心側の部分は、破砕のためには使用されない部分である。従って、打撃板のうち穴よりも軸心側の部分の距離が小さいほど、打撃板を効率良く使用することができると言える。しかしながら特許文献３において、打撃板の穴の強度を十分に確保するためには、打撃板のうち穴よりも軸心側の部分の距離を十分に確保する必要がある。従って、特許文献３のように穴を利用した固定が採用されている打撃板においては、打撃板の使用率をさほど高くすることができない。
【００１５】
本発明は、このような点を考慮してなされたものであり、打撃板の使用率を高めることができ、かつ簡易な構成を有する破砕機を提供することを目的とする。
【課題を解決するための手段】
【００１６】
第１の本発明は、対象物を破砕する破砕機であって、主軸と、前記主軸に固定され、前記主軸を回転軸として回転するロータディスクであって、その外周に複数の溝が形成されている、ロータディスクと、前記ロータディスクの前記溝に取り付けられ、互いに対向する一対のプロテクタと、前記対象物に衝突する打撃板であって、その両長手側面が前記一対のプロテクタによって挟持される、打撃板と、を備え、各プロテクタは、前記主軸の軸方向に沿って延びる第１のプロテクタ側突起と、前記第１のプロテクタ側突起よりも軸心側に設けられ、前記主軸の軸方向に沿って延びる軸心側突起と、を有し、前記打撃板の両長手側面には、前記打撃板の軸心側の端部近傍に位置し、前記主軸の軸方向に沿って延びる第１の打撃板側突起と、前記第１の打撃板側突起よりも外周側に位置し、前記主軸の軸方向に沿って延びる第２の打撃板側突起と、が設けられており、前記打撃板の前記第１の打撃板側突起は、前記プロテクタの前記軸心側突起よりも軸心側の場所、および、前記プロテクタの前記第１のプロテクタ側突起と前記軸心側突起との間の場所のいずれにも配置され得るよう構成されており、前記打撃板の前記第２の打撃板側突起は、前記第１の打撃板側突起が前記プロテクタの前記軸心側突起よりも軸心側の場所に配置されるとき、前記プロテクタの前記第１のプロテクタ側突起と前記軸心側突起との間の場所に配置されるよう、構成されている、破砕機である。
【００１７】
第１の本発明による破砕機において、前記打撃板の両長手側面には、前記第２の打撃板側突起よりも外周側に位置し、前記主軸の軸方向に沿って延びる１つまたは２つ以上の打撃板側突起がさらに設けられていてもよい。
【００１８】
第１の本発明による破砕機において、各打撃板側突起は、前記ロータディスクの半径方向において一定の配列ピッチで設けられていてもよい。
【００１９】
第１の本発明による破砕機において、前記ロータディスクの半径方向における各打撃板側突起の寸法は、軸心側の打撃板側突起ほど小さくなっていてもよい。
【００２０】
第２の本発明は、対象物を破砕する破砕機であって、主軸と、前記主軸に固定され、前記主軸を回転軸として回転するロータディスクであって、その外周に複数の溝が形成されている、ロータディスクと、前記ロータディスクの前記溝に取り付けられ、互いに対向する一対のプロテクタと、前記対象物に衝突する打撃板であって、その両長手側面が前記一対のプロテクタによって挟持される、打撃板と、を備え、各プロテクタは、前記主軸の軸方向に沿って延びる第１のプロテクタ側突起と、前記第１のプロテクタ側突起よりも外周側に設けられ、前記主軸の軸方向に沿って延びる第２のプロテクタ側突起と、前記第１のプロテクタ側突起よりも軸心側に設けられ、前記主軸の軸方向に沿って延びる軸心側突起と、を有し、前記打撃板の両長手側面には、前記打撃板の軸心側の端部近傍に位置し、前記主軸の軸方向に沿って延びる第１の打撃板側突起が設けられており、前記打撃板の前記第１の打撃板側突起は、前記プロテクタの前記第１のプロテクタ側突起と前記軸心側突起との間の場所、および、前記プロテクタの前記第２のプロテクタ側突起と前記第１のプロテクタ側突起との間の場所のいずれにも配置され得るよう構成されている、破砕機である。
【００２１】
第２の本発明による破砕機において、各プロテクタには、前記第２のプロテクタ側突起よりも外周側に位置し、前記主軸の軸方向に沿って延びる１つまたは２つ以上のプロテクタ側突起がさらに設けられていてもよい。
【００２２】
第２の本発明による破砕機において、各プロテクタ側突起は、前記ロータディスクの半径方向において一定の配列ピッチで設けられていてもよい。
【００２３】
本発明による破砕機において、前記打撃板の軸心側の端部に錘が取り付けられていてもよい。
【００２４】
本発明による破砕機において、前記打撃板には、前記打撃板の軸心側の端部に至る中空部が形成されており、前記中空部には、前記打撃板を構成する材料よりも高い密度を有する材料からなる錘が埋め込まれていてもよい。
【００２５】
本発明による破砕機において、前記主軸の軸方向に沿って延びる外周側突起であって、前記プロテクタの前記プロテクタ側突起のうち最も外周側に位置するプロテクタ側突起よりも外周側に配置される外周側突起が、前記打撃板の両長手側面にさらに設けられていてもよい。
【００２６】
本発明による破砕機において、前記ロータディスクの周囲には、打撃板によって衝撃力を与えられた後の対象物を衝突させるための衝突板が配置されており、前記衝突板は、ロータディスクとの間の離間距離を調整するために移動可能であってもよい。例えば前記衝突板は、ロータディスクの半径方向に沿って移動可能であるよう構成されていてもよい。
【００２７】
本発明による破砕機において、前記主軸には、前記主軸の軸方向に沿って複数の前記ロータディスクが固定されており、各ロータディスクの前記溝には、前記一対のプロテクタが取り付けられていてもよい。この場合、前記主軸の軸方向における前記打撃板の各打撃板側突起の長さは、１つのロータディスクに取り付けられている前記プロテクタの各プロテクタ側突起と、前記１つのロータディスクに隣り合う他のロータディスクに取り付けられている前記プロテクタの各プロテクタ側突起との間の、前記主軸の軸方向における隙間よりも小さくなっていてもよい。この場合、前記打撃板を前記主軸の軸方向において前記打撃板の前記打撃板側突起の長さに対応する距離にわたって移動させることにより、前記ロータディスクの半径方向における前記打撃板と前記プロテクタとの間の係合を解除することができる。
【発明の効果】
【００２８】
本発明によれば、打撃板の使用率を、従来の打撃板に比べて高くすることができる。このため、打撃板のうち摩耗されることなく廃棄される部分の割合を小さくすることができ、これによって、打撃板のコストを低減することができる。また本発明においては、ロータディスクの半径方向において打撃板の突起とプロテクタの突起とを係合させるという、簡易な構造を採用している。このため、打撃板の着脱作業を簡易化することができる。従って、打撃板の交換に要する時間を短くすることができ、これによって、破砕機の保守に要する時間やコストを低減することができる。
【図面の簡単な説明】
【００２９】
【図１】図１は、本発明の第１の実施の形態による破砕機を示す正面図。
【図２】図２は、図１の破砕機のアッセンブリィを示す図。
【図３Ａ】図３Ａは、図１のロータディスクを拡大して示す正面図。
【図３Ｂ】図３Ｂは、ロータディスクの変形例を示す正面図。
【図４Ａ】図４Ａは、一対のプロテクタと、一対のプロテクタによって挟持される打撃板との位置関係を説明するための図。
【図４Ｂ】図４Ｂは、主軸に平行な方向における打撃板の変位を防止するための変位防止機構を説明するための図。
【図５Ａ】図５Ａ（ａ）〜（ｄ）は、第１の実施の形態における打撃板の利用方法を示す図。
【図５Ｂ】図５Ｂ（ａ）（ｂ）は、打撃板の外周側の端部形状の相違に基づく、対象物の運動方向の相違を説明するための図。
【図６】図６（ａ）〜（ｄ）は、第１の実施の形態において、打撃板を上方に引き出す手順を説明するための図。
【図７】図７（ａ）〜（ｄ）は、従来の上下反転型の打撃板の利用方法を示す図。
【図８】図８は、本発明の第２の実施の形態によるロータディスクを拡大して示す正面図。
【図９】図９（ａ）〜（ｄ）は、第２の実施の形態における打撃板の利用方法を示す図。
【図１０】図１０は、本発明の第３の実施の形態によるロータディスクを拡大して示す正面図。
【図１１】図１１（ａ）〜（ｆ）は、第３の実施の形態における打撃板の利用方法を示す図。
【図１２】図１２（ａ）〜（ｄ）は、第４の実施の形態において、打撃板を外周側に一段階繰り出す手順を説明するための図。
【図１３】図１３は、打撃板の一変形例を示す図。
【図１４】図１４は、打撃板のその他の変形例を示す図。
【図１５】図１５は、打撃板のその他の変形例を示す図。
【図１６】図１６は、打撃板の打撃板側突起の一変形例を示す図。
【発明を実施するための形態】
【００３０】
第１の実施の形態
以下、本発明の第１の実施形態による破砕機について、図１乃至図６（ａ）〜（ｄ）を参照して説明する。
【００３１】
（破砕機）
図１は、破砕機１０を示す正面図である。なお図１においては、破砕機１０の主軸１８の軸方向に直交する面で破砕機１０を切断した場合の断面が示されている。破砕機１０は、ケーシング１１に形成された投入口１２からケーシング１１の内部の破砕空間１４内に投入される対象物１３に衝撃力を加え、これによって対象物１３を破砕するものである。
【００３２】
破砕機１０は、水平方向に延びる主軸１８と、主軸１８に固定され、主軸１８を回転軸として回転するロータディスク２０と、を備えている。ロータディスク２０の外周には、図１に示すように、複数の溝２１が周方向に等間隔で形成されている。そして破砕機１０は、ロータディスク２０の溝２１に取り付けられ、互いに対向する一対のプロテクタ３１，３２と、一対のプロテクタ３１，３２によって挟持された打撃板４０と、をさらに備えている。打撃板４０は、ロータディスク２０が回転するとき、対象物１３に衝突して対象物１３に衝撃力を与えるものである。
【００３３】
なおロータディスク２０の外周に取り付けられる打撃板４０の数が特に限られることはない。例えば図示はしないが、ロータディスク２０の外周に等間隔で６つの打撃板４０が固定されていてもよい。
【００３４】
ロータディスク２０の周囲には、打撃板４０によって衝撃力を与えられた後の対象物１３を衝突させるための衝突板１５が配置されている。この場合、対象物１３には、衝突板１５との衝突によってさらに衝撃力が与えられ、これによって対象物１３がさらに破砕される。また衝突板１５の内面には、のこぎり状の形状を有するライナー１６が取り付けられていてもよい。これによって、飛来してきた対象物１３をより効果的に破砕することができる。
【００３５】
（プロテクタおよび打撃板）
次に、図２乃至図４Ａを参照して、ロータディスク２０に取り付けられている一対のプロテクタ３１，３２および打撃板４０についてさらに詳細に説明する。図２は、図１の矢印IIに沿って図１の一対のプロテクタ３１，３２および打撃板４０を見た場合を示す図である。図２においては、図が煩雑になるのを防ぐため、ロータディスク２０は簡略化され、かつ点線で示されている。また図３Ａは、図１に示すロータディスク２０を拡大して示す平面図である。また図４Ａは、一対のプロテクタ３１，３２と、一対のプロテクタ３１，３２によって挟持される打撃板４０との間の嵌合関係を説明するための図である。なお図２においては、図面の明確化のため、図１において上部に位置する一対のプロテクタ３１，３２および打撃板４０を省略している。
【００３６】
図２に示すように、主軸１８には４つのロータディスク２０が軸方向に等間隔で固定されており、そして各ロータディスク２０の外周には、一対のプロテクタ３１，３２を介して打撃板４０が固定されている。図２においては、主軸１８の軸方向における打撃板４０の長さが、主軸１８の軸方向におけるロータディスク２０の配列ピッチよりも大きく、このため２つのロータディスクに跨るように打撃板４０が設けられている。しかしながら、主軸１８の軸方向における打撃板４０の長さが特に限られることはない。例えば打撃板４０の長さは、打撃板４０が４つのロータディスクに跨るように設定されていてもよく、または、１つのロータディスク２０によって打撃板４０が保持され得るように設定されていてもよい。
【００３７】
図３Ａに示すように、一対のプロテクタ３１，３２は、ロータディスク２０の溝２１の第１側面２２に取り付けられた第１プロテクタ３１と、溝２１の第２側面２３に取り付けられた第２プロテクタ３２と、からなっている。溝２１の第１側面２２および第２側面２３は、ロータディスク２０の回転方向において互いに対向する側面であり、このため、第１プロテクタ３１および第２プロテクタ３２も、ロータディスク２０の回転方向において互いに対向している。また打撃板４０は、その両長手側面が一対のプロテクタ３１，３２によって挟持されるようになっている。打撃板４０の両長手側面のうち、第１プロテクタ３１側に位置する側面を第１側面４１と称し、第２プロテクタ３２側に位置する側面を第２側面４２と称する。
【００３８】
各プロテクタ３１，３２を溝２１の各側面２２，２３に取り付けるための方法が特に限られることはない。例えば図３Ａに示すように、各側面２２，２３には凸部２２ａ，２３ａがそれぞれ形成されており、また各プロテクタ３１，３２には凹部３１ａ，３２ａがそれぞれ形成されていてもよい。この場合、各プロテクタ３１，３２の凹部３１ａ，３２ａに各側面２２，２３の凸部２２ａ，２３ａをはめ込むことにより、各プロテクタ３１，３２を溝２１の各側面２２，２３に取り付けることができる。
【００３９】
図３Ａおよび図４Ａに示すように、各プロテクタ３１，３２は、主軸１８の軸方向に沿って延びる第１のプロテクタ側突起３３と、第１のプロテクタ側突起３３よりも軸心側に設けられ、主軸１８の軸方向に沿って延びる軸心側突起３４と、を有している。なお本明細書において「軸心側」とは、主軸１８に近接する側を意味している。すなわち「軸心側突起３４が第１のプロテクタ側突起３３よりも軸心側に設けられている」とは、軸心側突起３４が、第１のプロテクタ側突起３３よりも主軸１８に近接する場所に設けられていることを意味している。
【００４０】
また図３Ａおよび図４Ａに示すように、打撃板４０の両長手側面４１，４２には、打撃板４０の軸心側の端部４０ａの近傍に位置し、主軸１８の軸方向に沿って延びる第１の打撃板側突起４３と、第１の打撃板側突起４３よりも外周側に位置し、主軸１８の軸方向に沿って延びる第２の打撃板側突起４４と、が設けられている。ここで、「軸心側の端部４０ａ」とは、主軸１８から打撃板４０に向かう方向における打撃板４０の２つの端部のうち主軸１８側に位置する端部を意味している。また後述するように、打撃板４０の２つの端部のうち主軸１８からの距離がより大きい場所に位置する端部を、「外周側の端部４０ｂ」と称することもある。また、「軸心側の端部４０ａの近傍」とは、打撃板４０の使用率を可能な限り高くすることができるような位置に第１の打撃板側突起４３が設けられていることを意味している。例えば、ロータディスク２０の半径方向における、第１の打撃板側突起４３から打撃板４０の軸心側の端部４０ａまでの距離は、ロータディスク２０の半径方向における新品の打撃板４０の長さの１／３以下になっている。また本明細書において「外周側」とは、主軸１８から遠ざかる側を意味している。すなわち「第２の打撃板側突起４４が第１の打撃板側突起４３よりも外周側に位置している」とは、第２の打撃板側突起４４が第１の打撃板側突起４３よりも、主軸１８から遠く離れた場所に位置していることを意味している。
【００４１】
次に、各プロテクタ３１，３２のプロテクタ側突起および打撃板４０の打撃板側突起について、その作用又は機能を説明する。本明細書において、「プロテクタ側突起」とは、ロータディスク２０の回転に起因して打撃板４０に遠心力が作用しているときに打撃板４０の打撃板側突起に外周側から当接するよう、各プロテクタ３１，３２に設けられている突起のことである。また「打撃板側突起」とは、ロータディスク２０の回転に起因して打撃板４０に遠心力が作用しているときに各プロテクタ３１，３２のプロテクタ側突起に軸心側から当接するよう、打撃板４０の両長手側面４１，４２に設けられている突起のことである。これら「プロテクタ側突起」および「打撃板側突起」を設けることにより、ロータディスク２０が回転しているときに打撃板４０が外周側に飛び出すことを防ぐことができ、また打撃板４０の位置を定めることができる。ロータディスク２０の半径方向において互いに係合可能である限りにおいて、プロテクタ側突起および打撃板側突起の具体的な構造は特に限られないが、例えばプロテクタ側突起および打撃板側突起はいずれも台形状の形状を有している。
【００４２】
次に、各プロテクタ３１，３２の軸心側突起について、その作用又は機能を説明する。ロータディスク２０の回転に起因して打撃板４０に遠心力が作用している間は、打撃板４０の打撃板側突起は上述のように各プロテクタ３１，３２のプロテクタ側突起に当接する。一方、ロータディスク２０が回転していない間は、打撃板４０に遠心力が作用しないので、打撃板４０のうち主軸１８よりも上方に位置する打撃板４０には、重力に起因する、軸心側へ向かう力が作用する。このような打撃板４０の打撃板側突起に対して、各プロテクタ３１，３２の軸心側突起は、軸心側から当接することができる。このため、ロータディスク２０が回転していない間に重力によって打撃板４０が一対のプロテクタ３１，３２から外れて溝２１の底面へ落下してしまうことを防ぐことができる。
【００４３】
次に、本実施の形態による打撃板４０の各打撃板側突起４３，４４の特徴についてさらに説明する。本実施の形態において、打撃板４０は、打撃板４０が摩耗して打撃板４０の突き出し長さが限界突き出し長さに達した時に突き出し長さを回復させるため、打撃板４０を外周側に繰り出すことができるように構成されている。具体的には、本実施の形態において、第１の打撃板側突起４３は、各プロテクタ３１，３２の軸心側突起３４よりも軸心側の場所、および、各プロテクタ３１，３２の第１のプロテクタ側突起３３と軸心側突起３４との間の場所のいずれにも配置され得るよう構成されている。また、打撃板４０の第２の打撃板側突起４４は、第１の打撃板側突起４３が各プロテクタ３１，３２の軸心側突起３４よりも軸心側の場所に配置されるとき、各プロテクタ３１，３２の第１のプロテクタ側突起３３と軸心側突起３４との間の場所に配置され得るよう、構成されている。この場合、打撃板４０の交換当初は、第１の打撃板側突起４３を各プロテクタ３１，３２の軸心側突起３４よりも軸心側の場所に配置する。その後、打撃板４０の突き出し長さが限界突き出し長さに達した時に、第１の打撃板側突起４３が各プロテクタ３１，３２の第１のプロテクタ側突起３３と軸心側突起３４との間の場所に配置されるように打撃板４０を繰り出す。これによって、打撃板４０の突き出し長さを回復させることができる。
【００４４】
第１の打撃板側突起４３および第２の打撃板側突起４４は、打撃板４０を一段階繰り出すことによって、打撃板４０の外周側の端部４０ｂが、新品の時の打撃板４０の外周側の端部４０ｂが存在していた位置とほぼ同一の位置に至るようになるよう、構成されていてもよい。例えば、第１の打撃板側突起４３と第２の打撃板側突起４４の間の間隔が、新品の打撃板４０が限界突き出し長さに達するまでの摩耗長さとほぼ等しくなっていてもよい。
【００４５】
なお破砕機１０は、打撃板４０から衝突板１５までの距離を微調整することができるよう構成されていてもよい。例えば衝突板１５は、ロータディスク２０の半径方向に沿って移動可能であるよう構成されていてもよい。この場合、第１の打撃板側突起４３と第２の打撃板側突起４４の間の間隔が、新品の打撃板４０が限界突き出し長さに達するまでの摩耗長さと等しくなっていない場合であっても、打撃板４０の繰り出しと、衝突板１５の位置の微調整とを組み合わせることにより、打撃板４０の外周側の端部４０ｂと衝突板１５との間の距離を、新品の時の打撃板４０が用いられていた場合とほぼ同一にすることができる。このような衝突板１５の位置の微調整は、打撃板４０における摩耗の進行に合わせて実施されてもよい。
【００４６】
図３Ａに示すように、打撃板４０の両長手側面４１，４２には、第２の打撃板側突起４４よりも外周側に位置し、主軸１８の軸方向に沿って延び、各プロテクタ３１，３２の第１のプロテクタ側突起３３よりも外周側に配置される外周側突起４５がさらに設けられていてもよい。
なお上述の打撃板側突起は、遠心力に対応する力を各プロテクタ３１，３２のプロテクタ側突起から受けるものであるため、打撃板側突起には所定の強度が求められる。これに対して、外周側突起にそのような大きな力が作用することはない。一方、打撃板側突起４３，４４および外周側突起４５は通常、同一の材料から一体的に構成されている。すなわち打撃板側突起４３，４４と外周側突起４５とは同一の硬度を有している。また通常は、打撃板４０を構成する材料は、プロテクタ３１，３２を構成する材料よりも高い硬度を有している。すなわち、プロテクタ３１，３２は打撃板４０よりも脆くなっている。ここで本実施の形態によれば、プロテクタ３１，３２の第１のプロテクタ側突起３３よりも外周側に打撃板４０の外周側突起４５が配置される。このため、破砕機１０の動作時に対象物１３の破砕片などが各プロテクタ３１，３２に衝突して各プロテクタ３１，３２が損傷することを防ぐという機能を外周側突起４５が果たすことができる。外周側突起４５の高さが特に限られることはなく、その機能に応じて適宜設定される。なお各プロテクタ３１，３２のうち打撃板４０の外周側突起４５に対応する部分には、外周側突起４５を受け入れるための切り欠き３５が形成されていてもよい。
【００４７】
なお図３Ｂに示すように、各プロテクタ３１，３２は、軸心側突起３４よりも軸心側に位置する軸心側突起３４’をさらに有していてもよい。軸心側突起３４’は、打撃板４０の第１の打撃板側突起４３が各プロテクタ３１，３２の軸心側突起３４よりも軸心側に配置されているときであって、破砕機１０が動作していないときに、第１の打撃板側突起４３に軸心側から当接することができる。図４Ａ〜図６（ａ）〜（ｄ）においては、軸心側突起３４’が各プロテクタ３１，３２に設けられている場合の例が示されている。
【００４８】
なお図４Ａにおいて一点鎖線で示されているように、複数のロータディスク２０のうち端に位置しているロータディスク２０の各プロテクタ３１，３２には、主軸１８の軸方向における打撃板４０の変位を防止するための変位防止機構３７が設けられていてもよい。変位防止機構３７の具体的な構成は特には限られないが、例えば変位防止機構３７は、主軸１８に水平な方向において突出した突出片３７ａと、突出片３７ａに形成された孔３７ｂと、を含んでいてもよい。この場合、孔３７ｂに棒状の支持体などを貫通させることによって、主軸１８の軸方向における打撃板４０の変位を防止することができる。
【００４９】
図４Ｂは、主軸１８の軸方向における打撃板４０の変位が変位防止機構３７によって防がれている様子を示す図である。図４において、主軸１８の軸方向は、紙面に直交する方向である。図４Ｂに示すように、突出片３７ａの孔３７ｂには棒状の支持体３７ｃが挿入されている。また打撃板４０の表面には孔４０ｃが形成されており、支持体３７ｃはこの４０ｃと嵌合している。このため、主軸１８の軸方向における打撃板４０の変位を防ぐことが可能である。なお支持体３７ｃが打撃板４０の穴４０ｃから抜けてしまうことを防ぐため、図４Ｂに示すように、支持体３７ｃに孔３７ｅが形成され、この孔３７ｅに固定ピン３７ｄが挿入されていてもよい。支持体３７ｃの孔３７ｅは、支持体３７ｃが打撃板４０の穴４０ｃと嵌合しているときに突出片３７ａの孔３７ｂよりも打撃板４０側に位置する部分に形成されている。また固定ピン３７ｄは、支持体３７ｃの孔３７ｅから抜けないよう構成されており、例えば割ピンとして構成されている。
【００５０】
次に、上述の破砕機１０を用いて、岩石などの対象物を破砕する際の作用について、図５Ａ（ａ）〜（ｄ）を参照して説明する。
【００５１】
（破砕方法）
はじめに、各ロータディスク２０に新品の打撃板４０を、一対のプロテクタ３１，３２を介して固定する。図５Ａ（ａ）は、一対のプロテクタ３１，３２によって挟持された新品の打撃板４０を示す図である。図５Ａ（ａ）に示すように、打撃板４０は、第１の打撃板側突起４３が軸心側突起３４よりも軸心側の場所に配置され、第２の打撃板側突起４４が第１のプロテクタ側突起３３と軸心側突起３４との間の場所に配置されるよう、一対のプロテクタ３１，３２によって挟持されている。図５Ａ（ａ）に示すように、新品の打撃板４０の外周側の端部４０ｂはハンマー状の形状を有していてもよい。
【００５２】
次に、ロータディスク２０を反時計回りに回転させる。その後、岩石などの対象物１３を投入口１２から投入する。投入された対象物１３は、回転する打撃板４０の第１側面４１に衝突し、その後、衝突板１５やライナー１６に打ち付けられる。このような破砕工程を所定時間にわたって実施すると、打撃板４０の外周側の端部４０ｂが、第１側面４１側において摩耗していく。一方、第２側面４２はほとんど対象物１３に衝突しないため、第２側面４２側はほとんど摩耗されていない状態で残っている。この場合、打撃板４０の第２側面４２を利用するため、ロータディスク２０の回転方向を反転させてもよい。すなわち、一定時間経過後に、ロータディスク２０を時計回りに回転させるようにしてもよい。これによって、打撃板４０の第１側面４１および第２側面４２の両方を使用し尽くすことができる。なお図５Ａ（ａ）に示す状態の時には、各プロテクタ３１，３２の第１のプロテクタ側突起３３と打撃板４０の第２の打撃板側突起４４とが当接することによって、ロータディスク２０の回転時に打撃板４０が外周側に飛び出すことが防がれている。
【００５３】
ロータディスク２０の回転方向を反転させてから一定時間経過すると、打撃板４０の外周側の端部４０ｂが第２側面４２側においても摩耗し、この結果、図５Ａ（ｂ）に示すように、打撃板４０の突き出し長さが限界突き出し長さＬに到達する。この場合、破砕機１０の破砕効率を確保するため、図５Ａ（ｃ）に示すように、打撃板４０を外周側に一段階だけ繰り出す。すなわち、打撃板４０の第１の打撃板側突起４３が各プロテクタ３１，３２の第１のプロテクタ側突起３３と軸心側突起３４との間に配置されるようにする。ここで「一段階」とは、打撃板４０に設けられている複数の打撃板側突起の配列ピッチに相当する距離を意味している。これによって、打撃板４０の突き出し長さを限界突き出し長さＬよりも大きくすることができる。なお図５Ａ（ｃ）に示す状態のときには、打撃板４０の第２の打撃板側突起４４が、各プロテクタ３１，３２を保護するための保護用突起として機能することができる。打撃板４０を外周側に一段階だけ繰り出すための具体的な方法については、後に詳細に説明する。なお図５Ａ（ｃ）に示す状態の時には、各プロテクタ３１，３２の第１のプロテクタ側突起３３と打撃板４０の第１の打撃板側突起４３とが当接することによって、ロータディスク２０の回転時に打撃板４０が外周側に飛び出すことが防がれている。
【００５４】
その後、破砕工程を所定時間にわたって再び実施する。この際、図５Ａ（ｂ）に示す場合と同様に、ロータディスク２０を反時計回りおよび時計回りの両方で回転させ、これによって、打撃板４０の第１側面４１および第２側面４２の両方を利用し尽くすようにしてもよい。図５Ａ（ｄ）に示すように、打撃板４０の突き出し長さが再び限界突き出し長さＬに到達すると、打撃板４０の交換を実施する。
【００５５】
（打撃板の移動方法）
次に、打撃板４０を外周側に一段階だけ繰り出すための方法について、図６（ａ）〜（ｄ）を参照して説明する。
【００５６】
なお図６（ａ）においては、１つのロータディスク２０に取り付けられている各プロテクタ３１，３２の第１のプロテクタ側突起３３と、当該１つのロータディスク２０に隣り合う他のロータディスク２０に取り付けられている各プロテクタ３１，３２の第１のプロテクタ側突起３３との間の、主軸１８の軸方向における隙間が、符号Ｐで表されている。また、打撃板４０の各突起４３，４４，４５の、主軸１８の軸方向における長さが、符号Ｗで表されている。本実施の形態においては、隙間Ｐが長さＷよりも大きくなるよう、各プロテクタ３１，３２および打撃板４０が構成されている。
【００５７】
打撃板４０を外周側に一段階だけ繰り出す工程においては、主軸１８の軸方向において打撃板４０が固定されている場合、そのような固定をまずは解除する。例えば上述の変位防止機構３７が設けられている場合、はじめに固定ピン３７ｄを支持体３７ｃから引き抜き、次に支持体３７ｃを打撃板４０の孔４０ｃから引き抜く。これによって、主軸１８の軸方向において打撃板４０を移動させることが可能になる。
その後、チェーンブロックやホイストクレーンなどの吊り上げ手段を用いることによって、打撃板４０が各プロテクタ３１，３２から浮いている状態を実現する。次に図６（ｂ）に示すように、主軸１８の軸方向において、打撃板４０を、ロータディスクの半径方向に沿って見た場合に打撃板４０の各突起４３，４４，４５と各プロテクタ３１，３２の第１のプロテクタ側突起３３とが重ならないようになる場所まで、移動させる。その後、図６（ｃ）に示すように、吊り上げ手段を用いて打撃板４０を外周側に一段階だけ繰り出す。次に図６（ｄ）に示すように、主軸１８の軸方向において、打撃板４０を、各プロテクタ３１，３２の第１のプロテクタ側突起３３と軸心側突起３４との間に打撃板４０の第１の打撃板側突起４３が配置されるようになるまで、移動させる。
その後、変位防止機構３７の支持体３７ｃを打撃板４０の孔４０ｃと嵌合させ、また支持体３７ｃの孔３７ｅに固定ピン３７ｄを挿入する。これによって、主軸１８の軸方向において打撃板４０を固定する。
このようにして、打撃板４０を外周側に一段階だけ繰り出すことができる。
【００５８】
本実施の形態によれば、各プロテクタ３１，３２の第１のプロテクタ側突起３３と軸心側突起３４との間に配置され得る打撃板側突起が、二段にわたって打撃板４０に設けられている。このため、打撃板４０を外周側に一段階繰り出すことによって、打撃板４０の突き出し長さを回復させることができる。また、打撃板側突起４３，４４のうち最も軸心側に位置する打撃板側突起４３は、打撃板４０の軸心側の端部４０ａの近傍に設けられている。このため、打撃板４０のうち摩耗されることなく廃棄される部分の割合を小さくすることができる。すなわち、打撃板４０の使用率を高くすることができる。このことにより、打撃板４０のコストを低減することができる。また打撃板４０の使用率を高くすることは、昨今の省資源化の風潮にも沿っており、この点でも好ましいことである。
【００５９】
また本実施の形態によれば、上述のように、主軸１８の軸方向において隣接する２つのプロテクタ側突起間の隙間Ｐが、主軸１８の軸方向における打撃板４０の打撃板側突起の長さＷよりも大きくなるよう、各プロテクタ３１，３２および打撃板４０が構成されている。このため、主軸１８の軸方向において打撃板４０を、打撃板側突起の長さＷに対応する距離にわたって移動させることにより、ロータディスク２０の半径方向における、各プロテクタ３１，３２のプロテクタ側突起と打撃板４０の打撃板側突起との間の係合を解除することができる。このことにより、打撃板４０を外周側に一段階繰り出す作業を容易に実施することができる。
【００６０】
また本実施の形態によれば、上述のように、打撃板４０を外周側に一段階だけ繰り出すことによって、打撃板４０の突き出し長さを回復させることができる。この場合、必要な作業は、打撃板４０を主軸１８の軸方向に沿って移動させる作業、および、打撃板４０を外周側に移動させる作業である。これらの作業は、打撃板４０が吊り上げ手段によって吊り上げられている状態で容易に実施可能である。
一方、打撃板の上下を反転させることによって打撃板の突き出し長さを回復させる従来の破砕機においては、上下反転のために吊り上げ手段の吊り具を掛け替える作業が必要になる。しかしながら、打撃板の重量は大きく、このため、打撃板が吊り上げ手段によって吊り上げられている状態で吊り具の掛け替え作業を実施することは危険である。従って、吊り具の掛け替え作業は、打撃板を所定の平面上にいったん置いたうえで実施されることになる。このため、作業に要する時間や工数が大きくなってしまう。
これに対して本実施の形態によれば、上述のように、打撃板４０が吊り上げ手段によって吊り上げられている状態で作業を実施することができるので、短い時間で打撃板４０の突き出し長さを容易に回復させることができる。
【００６１】
また本実施の形態によれば、打撃板４０を繰り出すことによって打撃板４０の突き出し長さを回復させるので、新品の打撃板４０の外周側の端部４０ｂが一旦摩耗した後は、外周側の端部４０ｂは常に湾曲した形状を有することになる。この場合の利点について、図５Ｂ（ａ）（ｂ）を参照して説明する。図５Ｂ（ａ）は、新品の打撃板４０の外周側の端部４０ｂに衝突した後の対象物１３の飛翔方向の一例を示す図であり、図５Ｂ（ｂ）は、摩耗したために湾曲した形状を有する打撃板４０の外周側の端部４０ｂに衝突した後の対象物１３の飛翔方向の一例を示す図である。
図５Ｂ（ａ）に示すように、新品の打撃板４０においては、打撃板４０の外周側の端部４０ｂはハンマー状の形状を有するため、対象物１３はロータディスク２０の円周方向Ｒにほぼ沿った方向へ飛翔することになる。一方、図５Ｂ（ｂ）に示すように、摩耗したために湾曲した形状を有する打撃板４０においては、対象物１３は、ロータディスク２０の円周方向Ｒよりも外周側に傾いた方向へ飛翔することになる。ここで、打撃板４０からの衝撃力を受けた対象物１３が衝突板１５やライナー１６に到達するまでの時間は、一般に、図５Ｂ（ａ）の場合よりも図５Ｂ（ｂ）の場合の方が短くなる。このため、図５Ｂ（ｂ）の場合の方が、対象物１３が衝突板１５やライナー１６に衝突する際の衝突力を高くすることができる。
ここで本実施の形態によれば、新品の打撃板４０の外周側の端部４０ｂが一旦摩耗した後は、外周側の端部４０ｂが常に湾曲した形状を有することになる。このため、対象物１３が衝突板１５やライナー１６に衝突する際の衝突力を、上下反転方式の打撃板の場合に比べて平均的に高くすることができる。従って、より効率的に対象物１３を破砕することができる。
【００６２】
なお上述の本実施の形態においては、打撃板４０の第２側面４２を利用するため、ロータディスク２０の回転方向を反転させる例について説明した。しかしながら、打撃板４０の第２側面４２を利用するための方法がこれに限られることはない。例えば打撃板４０の外周側の端部４０ｂが第１側面４１側において摩耗した後、打撃板４０の表裏を反転させてもよい。この場合、ロータディスク２０が常に一方向、例えば反時計回りに回転している場合であっても、打撃板４０の第１側面４１および第２側面４２の両方を使用し尽くすことができる。また本実施の形態によれば、上述のように、主軸１８の軸方向における打撃板４０の打撃板側突起の長さＷの分だけ打撃板４０を軸方向に移動させることにより、各プロテクタ３１，３２のプロテクタ側突起と打撃板４０の打撃板側突起との間の係合を解除することができる。このため、打撃板４０の表裏を反転させる作業を容易に実施することができる。
【００６３】
第２の実施の形態
次に図８および図９（ａ）〜（ｄ）を参照して、本発明の第２の実施の形態について説明する。以下の説明および以下の説明で用いる図面では、上述した第１の実施の形態と同様に構成され得る部分について、上述の第１の実施の形態における対応する部分に対して用いた符号と同一の符号を用いることとし、重複する説明を省略する。また、上述した第１の実施の形態において得られる作用効果が本実施の形態においても得られることが明らかである場合、その説明を省略することもある。
【００６４】
上述の第１の実施の形態においては、打撃板４０に複数の打撃板側突起が設けられており、これによって、打撃板４０を一段階外周側に繰り出すことが実現されている例を示した。一方、本実施の形態においては、各プロテクタ３１，３２に複数のプロテクタ側突起を形成することによって、打撃板４０を一段階外周側に繰り出すことを実現している。例えば図８に示すように、本実施の形態において、各プロテクタ３１，３２は、主軸１８の軸方向に沿って延びる第１のプロテクタ側突起３３と、第１のプロテクタ側突起３３よりも外周側に設けられ、主軸１８の軸方向に沿って延びる第２のプロテクタ側突起３６と、第１のプロテクタ側突起３３よりも軸心側に設けられ、主軸１８の軸方向に沿って延びる軸心側突起３４と、を有している。また打撃板４０の両長手側面４１，４２には、打撃板４０の軸心側の端部４０ａの近傍に位置し、主軸１８の軸方向に沿って延びる第１の打撃板側突起４３が設けられている。この場合、打撃板４０の第１の打撃板側突起４３は、各プロテクタ３１，３２の第１のプロテクタ側突起３３と軸心側突起３４との間の場所、および、各プロテクタ３１，３２の第２のプロテクタ側突起３６と第１のプロテクタ側突起３３との間の場所のいずれにも配置され得るよう構成されている。
【００６５】
以下、図９（ｂ）〜（ｄ）を参照して、本実施の形態における打撃板４０の利用方法について説明する。はじめに図９（ａ）に示すように、第１の打撃板側突起４３が各プロテクタ３１，３２の第１のプロテクタ側突起３３と軸心側突起３４との間に配置されるよう、一対のプロテクタ３１，３２を用いて打撃板４０を挟持する。図９（ａ）に示す状態の時には、各プロテクタ３１，３２の第１のプロテクタ側突起３３と打撃板４０の第１の打撃板側突起４３とが当接することによって、ロータディスク２０の回転時に打撃板４０が外周側に飛び出すことが防がれている。なお本実施の形態においても、第１の打撃板側突起４３よりも外周側に位置し、各プロテクタ３１，３２を保護することができる外周側突起４５が打撃板４０に１つまたは複数設けられていてもよい。
【００６６】
図９（ｂ）に示すように、打撃板４０の突き出し長さが限界突き出し長さＬに到達すると、図９（ｃ）に示すように、打撃板４０を外周側に一段階だけ繰り出す。すなわち、打撃板４０の第１の打撃板側突起４３が各プロテクタ３１，３２の第２のプロテクタ側突起３６と第１のプロテクタ側突起３３との間に配置されるようにする。なお本実施の形態において、「一段階」とは、各プロテクタ３１，３２に設けられている複数のプロテクタ側突起の配列ピッチに相当する距離を意味している。図９（ｃ）に示す状態の時には、各プロテクタ３１，３２の第２のプロテクタ側突起３６と打撃板４０の第１の打撃板側突起４３とが当接することによって、ロータディスク２０の回転時に打撃板４０が外周側に飛び出すことが防がれている。なお図９（ｃ）に示すように、外周側突起４５よりも軸心側に位置するとともに第１の打撃板側突起４３よりも外周側に位置し、各プロテクタ３１，３２を保護することができる外周側突起４５’が、打撃板４０に設けられていてもよい。
【００６７】
図９（ｄ）に示すように、打撃板４０の突き出し長さが再び限界突き出し長さＬに到達すると、打撃板４０の交換を実施する。
【００６８】
本実施の形態によれば、打撃板４０の第１の打撃板側突起４３を支持するためのプロテクタ側突起３３，３６が、二段にわたって各プロテクタ３１，３２に形成されている。このため、打撃板４０を外周側に一段階繰り出すことによって、打撃板４０の突き出し長さを回復させることができる。また、打撃板４０の第１の打撃板側突起４３は、打撃板４０の軸心側の端部４０ａの近傍に設けられている。このため、打撃板４０のうち摩耗されることなく廃棄される部分の割合を小さくすることができる。すなわち、打撃板４０の使用率を高くすることができる。このことにより、打撃板４０のコストを低減することができる。
【００６９】
第３の実施の形態
次に図１０および図１１（ａ）〜（ｆ）を参照して、本発明の第３の実施の形態について説明する。以下の説明および以下の説明で用いる図面では、上述した第１の実施の形態と同様に構成され得る部分について、上述の第１の実施の形態における対応する部分に対して用いた符号と同一の符号を用いることとし、重複する説明を省略する。また、上述した第１の実施の形態において得られる作用効果が本実施の形態においても得られることが明らかである場合、その説明を省略することもある。
【００７０】
上述の第１または第２の実施の形態においては、打撃板４０の打撃板側突起または各プロテクタ３１，３２のプロテクタ側突起が二段にわたって設けられている例を示した。しかしながら、これに限られることはなく、打撃板４０の打撃板側突起または各プロテクタ３１，３２のプロテクタ側突起が三段以上にわたって設けられていてもよい。
例えば図１０に示すように、本実施の形態において、打撃板４０の両長手側面４１，４２には、第２の打撃板側突起４４よりも外周側に位置し、主軸１８の軸方向に沿って延びる第３の打撃板側突起４６がさらに設けられている。この場合、打撃板４０の第３の打撃板側突起４６は、第２の打撃板側突起４４が各プロテクタ３１，３２の軸心側突起３４よりも軸心側の場所に配置されるとき、各プロテクタ３１，３２の第１のプロテクタ側突起３３と軸心側突起３４との間に配置され得るよう、構成されている。
【００７１】
打撃板４０の各打撃板側突起４３，４４，４６は、ロータディスク２０の半径方向において一定の配列ピッチで設けられていてもよい。これによって、ロータディスク２０の半径方向における打撃板４０の繰り出し長さを各段階において一定にすることができる。
【００７２】
以下、図１１（ｂ）〜（ｆ）を参照して、本実施の形態における打撃板４０の利用方法について説明する。はじめに図１１（ａ）に示すように、第３の打撃板側突起４６が各プロテクタ３１，３２の第１のプロテクタ側突起３３と軸心側突起３４との間に配置されるよう、一対のプロテクタ３１，３２を用いて打撃板４０を挟持する。図１１（ａ）に示す状態の時には、各プロテクタ３１，３２の第１のプロテクタ側突起３３と打撃板４０の第３の打撃板側突起４６とが当接することによって、ロータディスク２０の回転時に打撃板４０が外周側に飛び出すことが防がれている。
【００７３】
図１１（ｂ）に示すように、打撃板４０の突き出し長さが限界突き出し長さＬに到達すると、図１１（ｃ）に示すように、打撃板４０を外周側に一段階だけ繰り出す。すなわち、打撃板４０の第２の打撃板側突起４４が各プロテクタ３１，３２の第１のプロテクタ側突起３３と軸心側突起３４との間に配置されるようにする。なお本実施の形態において、「一段階」とは、打撃板４０に設けられている複数の打撃板側突起の配列ピッチに相当する距離を意味している。図１１（ｃ）に示す状態の時には、各プロテクタ３１，３２の第１のプロテクタ側突起３３と打撃板４０の第２の打撃板側突起４４とが当接することによって、ロータディスク２０の回転時に打撃板４０が外周側に飛び出すことが防がれている。また図１１（ｃ）に示す状態のときには、打撃板４０の第３の打撃板側突起４６が、各プロテクタ３１，３２を保護するための保護用突起として機能することができる。
【００７４】
図１１（ｄ）に示すように、打撃板４０の突き出し長さが再び限界突き出し長さＬに到達すると、図１１（ｅ）に示すように、打撃板４０をさらに外周側に一段階だけ繰り出す。すなわち、打撃板４０の第１の打撃板側突起４３が各プロテクタ３１，３２の第１のプロテクタ側突起３３と軸心側突起３４との間に配置されるようにする。図１１（ｅ）に示す状態の時には、各プロテクタ３１，３２の第１のプロテクタ側突起３３と打撃板４０の第１の打撃板側突起４３とが当接することによって、ロータディスク２０の回転時に打撃板４０が外周側に飛び出すことが防がれている。また図１１（ｅ）に示す状態のときには、打撃板４０の第２の打撃板側突起４４が、各プロテクタ３１，３２を保護するための保護用突起として機能することができる。
【００７５】
図１１（ｆ）に示すように、打撃板４０の突き出し長さが再び限界突き出し長さＬに到達すると、打撃板４０の交換を実施する。
【００７６】
本実施の形態によれば、各プロテクタ３１，３２の第１のプロテクタ側突起３３と軸心側突起３４との間に配置され得る打撃板側突起が、三段にわたって打撃板４０に設けられている。このため、打撃板４０を外周側に一段階ずつ繰り出すことによって、打撃板４０の突き出し長さを回復させることができる。また、打撃板側突起４３，４４，４６のうち最も軸心側に位置する打撃板側突起４３は、打撃板４０の軸心側の端部４０ａの近傍に設けられている。このため、打撃板４０のうち摩耗されることなく廃棄される部分の割合を小さくすることができる。すなわち、打撃板４０の使用率を高くすることができる。このことにより、打撃板４０のコストを低減することができる。
【００７７】
なお図示はしないが、各プロテクタ３１，３２には、第２のプロテクタ側突起３６よりも外周側に位置し、主軸１８の軸方向に沿って延びる１つまたは２つ以上のプロテクタ側突起がさらに設けられていてもよい。この場合も、打撃板４０の打撃板側突起が三段以上にわたって設けられている場合と同様に、打撃板４０を外周側に繰り出すことを二段階以上にわたって実施することができるようになる。なお、各プロテクタ３１，３２の各プロテクタ側突起は、ロータディスク２０の半径方向において一定の配列ピッチで設けられていてもよい。これによって、ロータディスク２０の半径方向における打撃板４０の繰り出し長さを各段階において一定にすることができる。
【００７８】
第４の実施の形態
次に図１２（ａ）〜（ｄ）を参照して、本発明の第４の実施の形態について説明する。以下の説明および以下の説明で用いる図面では、上述した第１の実施の形態と同様に構成され得る部分について、上述の第１の実施の形態における対応する部分に対して用いた符号と同一の符号を用いることとし、重複する説明を省略する。また、上述した第１の実施の形態において得られる作用効果が本実施の形態においても得られることが明らかである場合、その説明を省略することもある。
【００７９】
上述の第１の実施の形態においては、打撃板４０の第１の打撃板側突起４３および第２の打撃板側突起４４の、主軸１８の軸方向における長さが、隣り合う２つのプロテクタ間のプロテクタ側突起の間の、主軸１８の軸方向における隙間Ｐよりも大きくなっている例を示した。しかしながら、これに限られることはなく、図１２（ａ）に示すように、打撃板４０の各突起４３，４４の、主軸１８の軸方向における長さは、隙間Ｐよりも小さくなっていてもよい。例えば図１２（ａ）に示すように、打撃板４０の各突起４３，４４は、主軸１８の軸方向において、隣り合う２つのプロテクタ３１に跨って延びていてもよい。この場合、打撃板４０の各突起４３，４４は、主軸１８の軸方向における打撃板４０の一端近傍から他端近傍まで、主軸１８の軸方向における打撃板４０の中間点を通って延びることになる。
【００８０】
以下、図１２（ａ）〜（ｄ）を参照して、本実施の形態による打撃板４０を外周側に一段階だけ繰り出すための方法について説明する。
【００８１】
はじめに、繰り出し対象の打撃板４０の姿勢が略水平になるよう、ロータディスク２０を回転させる。「略水平の姿勢」とは、打撃板４０と主軸１８とを結ぶ線が略水平方向に延びている状態を意味している。その後、上述の変位防止機構３７などによる打撃板４０に対する固定を解除する。次に、主軸１８の軸方向において、打撃板４０を、ロータディスクの半径方向に沿って見た場合に打撃板４０の各突起４３，４４，４５と各プロテクタ３１，３２の第１のプロテクタ側突起とが重ならないようになる場所まで、移動させる。例えば図１２（ｂ）に示すように、打撃板４０と各プロテクタ３１，３２とが重ならないようになる場所まで打撃板４０を移動させる。この際、ケーシング１１の外部まで打撃板４０を移動させてもよい。
【００８２】
次に、図１２（ｃ）に示すように、打撃板４０を外周側に一段階だけ繰り出す。その後、図１２（ｄ）に示すように、主軸１８の軸方向において、打撃板４０を元の場所に戻す。次に、変位防止機構３７などを用いて打撃板４０を固定する。このようにして、打撃板４０を外周側に一段階だけ繰り出すことができる。
【００８３】
ここで本実施の形態によれば、上述のように、打撃板４０の各突起４３，４４は、主軸１８の軸方向における打撃板４０の一端近傍から他端近傍まで、主軸１８の軸方向における打撃板４０の中間点を通って延びている。このため、ケーシング１１の外部まで打撃板４０を移動させる際、打撃板４０の各突起４３，４４が、打撃板４０の移動方向を安定に定める役割を果たすことができる。なぜなら、打撃板４０の移動方向が主軸１８の軸方向から逸脱した場合、打撃板４０の各突起４３，４４が各プロテクタ３１，３２の第１のプロテクタ側突起に当接し、これによって逸脱が制限されるからである。このことにより、打撃板４０を外周側に繰り出す作業をより確実に実施することができる。
【００８４】
なお、上述した各実施の形態に対して様々な変更を加えることが可能である。以下、図面を参照しながら、変形例について説明する。以下の説明および以下の説明で用いる図面では、上述した各実施の形態と同様に構成され得る部分について、上述の各実施の形態における対応する部分に対して用いた符号と同一の符号を用いることとし、重複する説明を省略する。また、上述した各実施の形態において得られる作用効果が変形例においても得られることが明らかである場合、その説明を省略することもある。
【００８５】
（打撃板の変形例）
図１３に示すように、打撃板４０には、軸心側の端部４０ａに至る中空部４７が形成されていてもよい。このような中空部４７を打撃板４０に形成することにより、打撃板４０を作製するための使用される材料の量を低減することができる。なお、このような中空部４７は、繰り出し方式が採用されている打撃板４０においては形成可能であるが、上下反転方式が採用されている打撃板４０では形成され得ないものである。
【００８６】
なお図１４に示すように、打撃板４０の軸心側の端部４０ａに形成されている中空部４７には、打撃板４０を構成する材料よりも高い密度を有する材料からなる錘４８が埋め込まれていてもよい。錘４８を利用して打撃板４０の重量を大きくすることによって、打撃板４０に作用する遠心力をより大きくすることができ、このことにより、打撃板４０が対象物１３に与える衝撃力を高めることができる。すなわち、破砕機１０の破砕特性を向上させることができる。
錘４８の材料が打撃板４０を構成する材料よりも高い密度を有する限りにおいて、図１４に示す例で用いられる錘４８の材料が特に限られることはない。例えば打撃板４０がクロム鋼から構成されている場合、錘４８を構成する材料として、鉛、鉛合金や銅合金等が用いられ得る。
錘４８を中空部４７に埋め込む方法が特に限られることはなく、様々な方法が適宜用いられ得る。例えば図１４に示すように、締結具４９を用いることによって錘４８が中空部４７内に固定されていてもよい。
【００８７】
なお打撃板４０に錘４８を取り付ける方法が特に限られることはない。例えば図１５に示すように、打撃板４０に中空部４７が形成されていない場合であっても、打撃板４０の軸心側の端部４０ａに錘４８を取り付けることができる。この場合も、錘４８を軸心側の端部４０ａに取り付ける方法が特に限られることはなく、様々な方法が適宜用いられ得る。例えば図１５に示すように、締結具４９を用いることによって錘４８が軸心側の端部４０ａに固定されていてもよい。
【００８８】
なお打撃板４０の外周側４０ｂの端部が摩耗していくと、打撃板４０の重量が徐々に小さくなる。この結果、打撃板４０に作用する遠心力が徐々に小さくなり、従って、破砕機１０の破砕特性が徐々に劣化してしまうことが考えられる。このような点を考慮して、図１４および図１５に示す例においては、打撃板４０の摩耗が進むにつれて、打撃板４０に取り付ける錘４８の量を増やしていってもよい。これによって、打撃板４０の摩耗に伴う打撃板４０の重量の減少を補償することができ、これによって、破砕機１０の破砕特性を適切に維持することができる。なお、図１４および図１５に示す例においては、錘４８を構成する材料は、打撃板４０を構成する材料よりも高い密度を有する材料には限定されない。打撃板４０の摩耗に伴う打撃板４０の重量の減少を補償することができる限りにおいて、錘４８を構成する材料や、錘４８の形状および寸法を任意に設定することができる。
【００８９】
（打撃板側突起の変形例）
また上述の各実施の形態および変形例においては、打撃板４０の各打撃板側突起がいずれも同一の形状を有する例を示した。しかしながら、これに限られることはなく、各打撃板側突起の形状をそれぞれ独立に設定することができる。例えば図１６に示すように、各打撃板側突起４３，４４，４６は、ロータディスク２０の半径方向における寸法が軸心側の打撃板側突起ほど小さくなるよう、構成されていてもよい。なぜなら、軸心側の打撃板側突起、例えば第１の打撃板側突起４３がプロテクタ３１，３２の第１のプロテクタ側突起３３に係合するときには、摩耗のため打撃板４０の重量が減少しており、このため、外周側の打撃板側突起、例えば打撃板側突起４６に比べて、第１の打撃板側突起４３に求められる強度は低いからである。従って、位置に応じて各打撃板側突起４３，４４，４６の強度、すなわち寸法を適切に設定することができ、このことにより、打撃板４０全体としての材料の使用量を可能な限り少なくすることができる。
【実施例】
【００９０】
次に、本発明を実施例により更に具体的に説明するが、本発明はその要旨を超えない限り、以下の実施例の記載に限定されるものではない。なお後述する比較例および各実施例のいずれも、ロータディスクを時計回りおよび反時計回りの両方で順次回転させることによって、打撃板の第１側面および第２側面の両方を使用し尽くしている。
【００９１】
（比較例）
まず本発明の実施例と比較するため、上述の図７（ａ）に示すような上下反転可能な打撃板６０を用いて、打撃板６０の使用率を評価した。ここで「使用率」は、新品の打撃板の重量に対する、打撃板の摩耗量の比を意味している。「摩耗量」は、新品の打撃板の重量と、交換時の打撃板の重量との差を意味している。
【００９２】
まず、３２０ｍｍの長さを有する新品の打撃板６０を準備した。ここで、新品の打撃板６０の重量は１００（任意単位）であるとする。次に、端部６０ｂの側における打撃板６０の突き出し長さが限界突き出し長さＬに到達するまで、打撃板６０を用いた破砕工程を実施した。打撃板６０の突き出し長さが限界突き出し長さＬに到達した時の、打撃板６０の重量は８０であった。なお比較例および後述する各実施例のいずれにおいても、限界突き出し長さＬは、端部がハンマー状の形状を有する比較例の打撃板の重量が新品時の１００から８０に減少した時の打撃板の突き出し長さとして設定されている。
【００９３】
打撃板６０を上下反転させた後、端部６０ａの側における打撃板６０の突き出し長さが再び限界突き出し長さＬに到達するまで、打撃板６０を用いた破砕工程を実施した。打撃板６０の突き出し長さが限界突き出し長さＬに到達した時の、打撃板６０の重量は６０であった。この場合、比較例における摩耗量は、１００−６０＝４０になる。また比較例における使用率は、４０／１００×１００＝４０％になる。
【００９４】
（実施例１）
上述の図５（ａ）に示すような、二段にわたって係合用突起が設けられた打撃板４０を用いて、打撃板４０の使用率を評価した。まず、２５０ｍｍの長さを有する新品の打撃板４０を準備した。本実施例における新品の打撃板４０の重量を、比較例における新品の打撃板６０の１００という重量に対する相対値で表すと、７２であった。次に、打撃板４０の突き出し長さが限界突き出し長さＬに到達するまで、打撃板４０を用いた破砕工程を実施した。打撃板４０の突き出し長さが限界突き出し長さＬに到達した時の、打撃板４０の重量は５２であった。
【００９５】
その後、打撃板４０を外周側に一段階だけ繰り出した。次に、打撃板４０の突き出し長さが再び限界突き出し長さＬに到達するまで、打撃板４０を用いた破砕工程を実施した。打撃板４０の突き出し長さが再び限界突き出し長さＬに到達した時の、打撃板４０の重量は３４であった。この場合、実施例１における摩耗量は、７２−３４＝３８になる。また実施例１における使用率は、３８／７２×１００＝５２．８％になる。
【００９６】
（実施例２）
上述の図９（ａ）に示すような、三段にわたって係合用突起が設けられた打撃板４０を用いて、打撃板４０の使用率を評価した。まず、３１３ｍｍの長さを有する新品の打撃板４０を準備した。本実施例における新品の打撃板４０の重量を、比較例における新品の打撃板６０の１００という重量に対する相対値で表すと、８８，５であった。次に、打撃板４０の突き出し長さが限界突き出し長さＬに到達するまで、打撃板４０を用いた破砕工程を実施した。その後、打撃板４０を外周側に一段階だけ繰り出した。次に、打撃板４０の突き出し長さが再び限界突き出し長さＬに到達するまで、打撃板４０を用いた破砕工程を実施した。その後、打撃板４０をさらに外周側に一段階だけ繰り出した。次に、打撃板４０の突き出し長さが再び限界突き出し長さＬに到達するまで、打撃板４０を用いた破砕工程を実施した。打撃板４０の突き出し長さが再び限界突き出し長さＬに到達した時の、打撃板４０の重量は３４であった。この場合、実施例２における摩耗量は、８８．５−３４＝５４．５になる。また実施例２における使用率は、５４．５／８８．５×１００＝６１．６％になる。
【００９７】
比較例、実施例１，２における摩耗量、使用率などをまとめて表１に示す。表１に示すように、実施例１，２によれば、比較例に比べて、打撃板の使用率を高めることができた。
【表１】
2015073964.tif 000003
【符号の説明】
【００９８】
１０  破砕機
１８  主軸
２０  ロータディスク
２１  溝
３１  第１プロテクタ
３２  第２プロテクタ
３３  第１のプロテクタ側突起
３４  軸心側突起
３６  第２のプロテクタ側突起
３７  変位防止機構
４０  打撃板
４３  第１の打撃板側突起
４４  第２の打撃板側突起
４５  外周側突起
４６  第３の打撃板側突起
【図１】
2015073964.tif 000004
【図２】
2015073964.tif 000005
【図３Ａ】
2015073964.tif 000006
【図３Ｂ】
2015073964.tif 000007
【図４Ａ】
2015073964.tif 000008
【図４Ｂ】
2015073964.tif 000009
【図５Ａ】
2015073964.tif 000010
【図５Ｂ】
2015073964.tif 000011
【図６】
2015073964.tif 000012
【図７】
2015073964.tif 000013
【図８】
2015073964.tif 000014
【図９】
2015073964.tif 000015
【図１０】
2015073964.tif 000016
【図１１】
2015073964.tif 000017
【図１２】
2015073964.tif 000018
【図１３】
2015073964.tif 000019
【図１４】
2015073964.tif 000020
【図１５】
2015073964.tif 000021
【図１６】
2015073964.tif 000022